(57)【要約】【課題】本発明の目的は、本体の設置場所に制限を受けず作業性が良く、且つ寿命の長い卓上切断機を提供することである。【解決手段】被切削材１４を支持するベース１後方に支持部材３を設け、支持部材３の上方には、回転刃物９と回転刃物９を回転駆動するモーター１０と切り込み用ハンドル１２とモーター１０を動作させるための主スイッチ１３を配設した回転刃物部５を、ベース１に対し上下方向に揺動自在に軸支すると共に、支持部材３に回転刃物部５の揺動を固定するためのロックピン６を配設した卓上切断機において、モータ１０の電源を回転刃物部５に着脱可能な電池１１とした。【選択図】　　　図１
2004001551.tif 000002
【特許請求の範囲】
【請求項１】
被切削材を支持するベース後方に支持部材を設け、該支持部材の上方には、回転刃物と該回転刃物を回転駆動するモーターと切り込み用ハンドルとモーターを動作させるための主スイッチを配設した回転刃物部を、ベースに対し上下方向に揺動自在に軸支すると共に、前記支持部材に回転刃物部の揺動を固定するためのロックピンを配設した卓上切断機において、前記モータの電源を前記回転刃物部に着脱可能な電池としたことを特徴とする卓上切断機。
【請求項２】
前記回転刃物部は運搬用ハンドルを有することを特徴とする請求項１記載の卓上切断機。
【発明の詳細な説明】
【０００１】
【発明の属する技術分野】
本発明は、ベースに支持された被切削材に対し、ベースの上方に位置された丸のこ等の回転工具を上下方向に揺動して切断等の加工を行う卓上切断機に関するものである。
【０００２】
【従来の技術】
卓上切断機は、被切削材を支持するベース後方に支持部材を設け、支持部材の上方には、回転刃物と回転刃物を回転駆動するモーターと切り込み用ハンドルとモーターを動作させるための主スイッチを配設した回転刃物部を、ベースに対し上下方向に揺動自在に軸支すると共に、支持部材に回転刃物部の揺動を固定するためのロックピンを配設した構成をしており、卓上切断機本体の運搬時には、ロックピンによって回転刃物部の揺動を固定し、運搬用ハンドルやベースを持って運んでいる。
【０００３】
【発明が解決しようとする課題】
従来の卓上切断機は、モーターの電源として一般家庭用電源（交流１００ボルト）を使用している場合には、卓上切断機の設置場所に制限を受けるなど作業性が低下してしまう場合があった。
【０００４】
本発明の目的は、上記した従来技術の欠点をなくし、本体の設置場所に制限を受けず作業性が良く、且つ寿命の長い卓上切断機を提供することである。
【０００５】
【課題を解決するための手段】
上記目的は、被切削材を支持するベース後方に支持部材を設け、支持部材の上方には、回転刃物と回転刃物を回転駆動するモーターと切り込み用ハンドルとモーターを動作させるための主スイッチを配設した回転刃物部を、ベースに対し上下方向に揺動自在に軸支すると共に、支持部材に回転刃物部の揺動を固定するためのロックピンを配設した卓上切断機において、モータの電源を回転刃物部に着脱可能な電池とすることにより達成される。
【０００６】
【発明の実施の形態】
本発明の実施形態を図１〜図５により説明する。図１は卓上切断機の側面図、図２は図１の回転刃物部を固定させたときの側面図、図３はＡ−Ａ線断面図、図４は図３のロックピンを穴に挿入したときの状態図、図５は本発明の配線図である。
【０００７】
図において、ベース１上面に被切削材１４を支持するフェンス２を固定する。ベース１後端には支持部材３を立設する。支持部材３上方にシャフト４を支点として、ベース１上面に対し上下揺動自在の回転刃物部５が軸支されている。回転刃物部５は図示しないスプリングによって上方に付勢されている。また、支持部材３上方にはロックピン６が出し入れ自在に配設されており、回転刃物部５を下方に位置させたときに、回転刃物部５に設けた穴７にロックピン６を挿入することにより、回転刃物部５が固定できる。
【０００８】
支持部材３上方にはロックピン６に係合する遮断スイッチ８を装着し、ロックピン６が穴７に挿入されたとき遮断スイッチ８の接点は開放の状態となる。回転刃物部５には、回転刃物９、回転刃物９を駆動するモーター１０、図示しないモーター１０の動力を回転刃物９へ伝達する伝達機構、電源となる電池１１、切り込み用ハンドル１２が配設されている。切り込み用ハンドル１２には、モーター１０を動作させるための主スイッチ１３が配設されており、図５に示すようにモーター１０と主スイッチ１３と遮断スイッチ８の接点は回路上直列に接続されている。
【０００９】
上記構成において、卓上切断機本体を運搬するときは、図２のように回転刃物部５を下方に揺動させ、ロックピン６を回転刃物部５の穴７に挿入し、回転刃物部５を下方の位置に固定させる。この時、図４に示すように、ロックピン６の座面６ａと遮断スイッチ８のアクチュエータ８ａは離れるため、遮断スイッチ８の接点は開いている。この状態で、主スイッチ１３の接点を誤って閉じても遮断スイッチ８の接点は開いているため、モーター１０は動作しない。
【００１０】
切断加工等を行うために、ロックピン６を回転刃物部５の穴７から引き出し回転刃物部５を自由状態に復帰させると、図３に示すように、ロックピン６の座面６ａと遮断スイッチ８のアクチュエータ８ａは接触状態となり、遮断スイッチ８の接点は閉じた状態になる。このとき、主スイッチ１３の接点を閉じればモーター１０は動作する。
【００１１】
卓上切断機本体を運搬する際には、回転刃物部５に設けた穴７にロックピン６を挿入し、回転刃物部５を固定し、回転刃物部５に設けられた運搬用ハンドルを持って運搬する場合や、ベース１を持って運搬する場合とがあるが、本発明では電池１１を回転刃物部５に着脱可能に設けた構成とすることによって以下の優位な作用効果を奏し得ることができるものである。
【００１２】
運搬用ハンドルを持って運搬する際には回転刃物部５に対してベース１がシャフト４を支点として回転しようとするが、比較的重量物である電池１１を回転刃物部５に着脱可能に設けた構成としたことにより、運搬時に穴７及びロックピン６に加わる負荷を増大させることなく、また、傾動支点であるシャフト４に加わる負荷を増大させることなく、容易に運搬可能な卓上切断機を提供することができるようになる。運搬時に穴７及びロックピン６に加わる負荷を増大させることがなく、またシャフト４に加わる負荷を増大させることがないため、早期に寿命に至るようなことがなく長寿命な卓上切断機を提供することができる。
【００１３】
【発明の効果】
本発明によれば、被切削材を支持するベース後方に支持部材を設け、支持部材の上方には、回転刃物と回転刃物を回転駆動するモーターと切り込み用ハンドルとモーターを動作させるための主スイッチを配設した回転刃物部を、ベースに対し上下方向に揺動自在に軸支すると共に、支持部材に回転刃物部の揺動を固定するためのロックピンを配設した卓上切断機において、モータの電源を回転刃物部に着脱可能な電池としたことにより、本体の設置場所に制限を受けず作業性が良く、且つ寿命の長い卓上切断機を提供することができるようになる。
【図面の簡単な説明】
【図１】本発明の実施形態を示す卓上切断機の側面図である。
【図２】図１の回転刃物部をロックさせたときの側面図である。
【図３】図１のＡ−Ａ線断面図である。
【図４】図３のロックピンを穴に挿入したときの状態図である。
【図５】本発明の配線図である。
【符号の説明】
５…回転刃物部、６…ロックピン、６ａ…座面、７…穴、８…遮断スイッチ、８ａ…アクチュエータ、１３…主スイッチ。
【図１】
2004001551.tif 000003
【図２】
2004001551.tif 000004
【図３】
2004001551.tif 000005
【図４】
2004001551.tif 000006
【図５】
2004001551.tif 000007